(57)【要約】【課題】  液晶表示素子に静電気が侵入することを確実に防ぐことができる携帯無線機を提供する。【解決手段】  携帯無線機１０は、上筐体１１に収容され、液晶表示素子１６に接続した上回路基板１７と、下筐体１２に収容された２４下回路基板２４と、上下の回路基板１７，２４に設けた上下のコネクタ１８，２５と、各コネクタ１８，２５に接続することで、上下の回路基板１７，２４を電気的に接続する同軸ケーブル３０とを備え、同軸ケーブル３０の中心を通る線３１が、信号線として用いられるとともに、信号専用のグランドとして用いられ、同軸ケーブル３０の外皮３２が、上筐体１１に電気的に接続されるとともに、下筐体１２の電池２８のグランド２８Ａに電気的に接続されている。【選択図】  図１
2006100319.tif 000002
【特許請求の範囲】
【請求項１】
互いに積層状態で接続され、かつ、互いに略階段状に相対位置を変更可能な上筐体および下筐体と、
前記上筐体に収容され、液晶表示素子に接続した上回路基板と、
前記下筐体に収容された下回路基板と、
前記上回路基板および前記下回路基板にそれぞれ設けた上コネクタおよび下コネクタと、
前記上コネクタおよび前記下コネクタに接続することで、前記上回路基板および前記下回路基板を電気的に接続する同軸ケーブルと、を備え、
前記同軸ケーブルの中心を通る線が、信号線として用いられるとともに、信号専用のグランドとして用いられ、
前記同軸ケーブルの外皮が、前記上筐体に電気的に接続されるとともに、前記下筐体に設けた電源のグランドに電気的に接続されたことを特徴とする携帯無線機。
【発明の詳細な説明】
【技術分野】
【０００１】
本発明は、上筐体に液晶表示素子を備えるとともに、下筐体に電源および電源グランドを備え、上筐体に備えた液晶表示素子と上筐体内の回路とを静電気から保護するように構成した携帯無線機に関する。
【背景技術】
【０００２】
近年、携帯電話機が広く普及しているが、携帯電話機は、上下の筐体で構成され、上筐体に液晶表示素子が設けられている。液晶表示素子は、静電気に比較的弱く、通話中に、使用者の頭部に接する上筐体から静電気が侵入したり、携帯電話機を取り上げた時の放電により静電気が浸入して、侵入した静電気で液晶表示素子が破壊したり、表示部に表示異常が生じたりしてしまう。
【０００３】
この不具合を解消する手段として、例えば、ノイズフィルターや静電気の帯電防止手段を用いることが提案されている。
【０００４】
静電気の侵入を防止するノイズフィルターとしては、以下のものが知られている。
すなわち、軟磁性物質の粉末をゴムまたはプラスチックのマトリックス中に分散させてなる電磁波吸収シートに、スルーホールを設ける。電磁波吸収シートの表面にフィルター基板を貼り付け、電磁波吸収シートの裏面にＧｎｄ（グランド）基板を貼り付ける。
フィルター基板は、一方の表面に、導電性物質の層を設けたフレキシブル基板の１枚にフィルターパターンを形成した基板である。
Ｇｎｄ基板は、もう１枚のフレキシブル基板にＧｎｄパターンを形成した基板である。
【０００５】
電磁波吸収シートのスルーホールに、信号ピンおよびＧｎｄピンを備えたコネクタを差し込む。
フィルターパターン／電磁波吸収パターン／Ｇｎｄパターンの間で、フィルター等価回路が形成され、ノイズフィルターとなり、静電気の侵入を防止する（例えば、特許文献１。）。
【０００６】
静電気の流入を防止する帯電防止手段としては、以下のものが知られている。
すなわち、液晶表示素部の上面に接地する偏光板の表面に帯電防止層を形成し、この帯電防止層を、金属フレームを介してプリント回路基板の接地パッドに接続することで、液晶表示素子に静電気が侵入することを防止する（例えば、特許文献２。）。
【特許文献１】特開２００１−３０８５８０号公報
【特許文献２】特開平５−１８８３８８号公報
【発明の開示】
【発明が解決しようとする課題】
【０００７】
しかし、上記ノイズフィルターや帯電防止手段を用いても、液晶表示素子に静電気が侵入することを確実に防ぐことは難しく、液晶表示素子に静電気が侵入することを確実に防ぐことができる技術の実用化が望まれていた。
【０００８】
本発明は上記事情に鑑みてなされたもので、液晶表示素子と上筐体内の回路とに静電気が侵入することを確実に防ぐことができる携帯無線機を提供することを目的とする。
【課題を解決するための手段】
【０００９】
本発明の携帯無線機は、互いに積層状態で接続され、かつ、互いに略階段状に相対位置を変更可能な上筐体および下筐体と、前記上筐体に収容され、液晶表示素子に接続した上回路基板と、前記下筐体に収容された下回路基板と、前記上回路基板および前記下回路基板にそれぞれ設けた上コネクタおよび下コネクタと、前記上コネクタおよび前記下コネクタに接続することで、前記上回路基板および前記下回路基板を電気的に接続する同軸ケーブルと、を備え、前記同軸ケーブルの中心を通る線が、信号線として用いられるとともに、信号専用のグランドとして用いられ、前記同軸ケーブルの外皮が、前記上筐体に電気的に接続されるとともに、前記下筐体に設けた電源のグランドに電気的に接続されたことを特徴とする。
【００１０】
同軸ケーブルの外皮を、上筐体に電気的に接続するとともに、下筐体に設けた電源のグランドに電気的に接続する。電源のグランドは０（ゼロ）電位である。
携帯電話を通話に使用する際に、上筐体が使用者に接触して、上筐体から侵入した静電気を、同軸ケーブルの外皮を介して下筐体の電源のグランドに逃がし、液晶表示素子と上筐体内の回路とに静電気が侵入することが確実に防止される。
【発明の効果】
【００１１】
本発明によれば、上筐体から侵入した静電気を、同軸ケーブルの外皮を介して下筐体に逃がすことで、液晶表示素子に静電気が侵入することを確実に防ぎ、液晶表示素子が静電気で破壊したり、表示部に表示異常が生じたりしてしまうことが確実に防止されるという効果を有する。
【発明を実施するための最良の形態】
【００１２】
図１〜図２に示すように、第１実施の形態の携帯無線機１０は、互いに積層状態で接続され、かつ、互いに略階段状に相対位置を変更可能な上筐体１１および下筐体１２を備える。
上筐体１１を上筐体用上側ケース１３および上筐体用下側ケース（表示側のケース）１４で構成し、上筐体用上側ケース１３および上筐体用下側ケース１４を、それぞれマグネシウムなどの導電性物質で形成する。
【００１３】
上筐体用上側ケース１３には表示素子用ホルダ１５を介して液晶表示素子１６が設けられ、液晶表示素子１６には上回路基板（主に表示系と音声出力系）１７の端子が電気的に接続されている。
すなわち、上回路基板１７の上面１７Ａには回路パターンが形成され、この回路パターンに液晶表示素子１６が電気的に接続されている。
この液晶表示素子１６の表示面１６Ａは、上筐体用上側ケース１３に上筐体用下側ケース１４を組み付けた状態で、上筐体用下側ケース１４の開口部１４Ａに臨む。
【００１４】
上回路基板１７の回路パターンには、上コネクタ１８が電気的に接続され、上コネクタ１８のハウジング上面１８Ａにはグランド用の導電性物質（以下、「上グランド部材」と称す）１９が設けられている。
この上グランド部材１９は、上筐体用上側ケース１３に上筐体用下側ケース１４を組み付けた状態で、上ばね部材２０を介して導電性の上ケース１３に電気的に接続される。
【００１５】
表示素子用ホルダ１５、液晶表示素子１６、上回路基板１７、上コネクタ１８、上グランド部材１９および上ばね部材２０は、上筐体用上側ケース１３および上筐体用下側ケース１４を組み付けることにより形成した空間、すなわち、上筐体１１内の空間に収容される。
【００１６】
下筐体１２を下筐体用上側ケース２２および下筐体用下側ケース（キー面側のケース）２３で構成する。下筐体用上側ケース２２および下筐体用下側ケース２３を組み付けることにより形成した空間には、下回路基板２４が収容される。
下回路基板２４の上面２４Ａに回路パターンが形成され、この回路パターンには、下コネクタ２５の端子が電気的に接続されている。
下コネクタ２５のハウジング上面２５Ａには、グランド用の導電性物質（以下、「下グランド部材」と称す）２６が設けられている。
【００１７】
この下グランド部材２６は、下筐体用上側ケース２２に下筐体用下側ケース２３を組み付けた状態で、下導電性板２７を介して電池（電源）２８のグランド２８Ａに電気的に接続される。
電池２８は、下回路基板２４の回路パターンに電気的に接続されている。
下回路基板２４、下コネクタ２５、下グランド部材２６、下導電性板２７および電池２８は、下筐体用上側ケース２２および下筐体用下側ケース２３を組み付けることにより形成した空間、すなわち、下筐体１２内の空間に収容される。
【００１８】
上コネクタ１８および下コネクタ２５は同軸ケーブル３０で電気的に接続されている。  同軸ケーブル３０は、図３に示す、中心を通る線３１が、上コネクタ１８の端子および下コネクタ２５の端子に電気的に接続されることで、信号線として用いられるとともに、信号専用のグランドとして用いられる。
このグランドを、以下、「信号グランド」と呼ぶ。
【００１９】
さらに、同軸ケーブル３０は、導電性の物質で形成した外皮３２を備え、この外皮３２の一端部３２Ａ（図１参照）が上グランド部材１９に電気的に接続されるとともに、外皮３２の他端部３２Ｂ（図２参照）が下グランド部材２６に電気的に接続される。
【００２０】
これにより、同軸ケーブル３０の外皮３２が、上筐体１１に電気的に接続されるとともに、下筐体１２に設けた電池２８のグランド２８Ａに接地（グランド）される。同軸ケーブル３０の外皮３２はグランドとなり、このグランドを、以下、「フィールドグランド」と呼ぶ。
【００２１】
電池２８のグランド２８Ａは前記信号グランドとも接続しているので、信号グランドおよびフィールドグランドは、ここで１点接続となる。
ここで、導電性の上ケース１３には、前記信号グランドは接続しない。
すなわち、フィールドグランドは、前記信号グランドとは分離されたグランドである。
【００２２】
携帯電話１０によれば、同軸ケーブル３０の外皮３２を、上筐体１１に電気的に接続するとともに、下筐体１２に設けた電池２８のグランド２８Ａに電気的に接続する。電池２８のグランド２８Ａは０（ゼロ）電位である。
【００２３】
携帯電話１０を通話に使用する際に、上筐体１１が使用者（図示せず）に接触して、上筐体１１から静電気が侵入する。
侵入した静電気を、同軸ケーブル３０の外皮３２を介して下筐体の電池２８のグランド２８Ａに逃がす。これにより、液晶表示素子１６に静電気が侵入することが確実に防止される。
【００２４】
前記実施の形態では、上コネクタ１８のハウジング上面１８Ａおよび下コネクタ２５のハウジング上面２５Ａに、それぞれ上・下のグランド部材２９，２６を設けた例について説明したが、これに限らないで、上・下のコネクタ１８，２５のハウジング自体を導電性の物質で形成することも可能である。
【００２５】
さらに、前記実施の形態では、上・下の回路基板１７の上面１７Ａ，２４Ａ、すなわち片面のみに回路パターンを形成したものに本発明を適用した例について説明したが、上・下の回路基板１７の両面に回路パターンを形成した場合にも、前記実施の形態と同様に、信号グランドとフィールドグランドとを分離することで、同様の効果を得ることが可能である。
【産業上の利用可能性】
【００２６】
本発明は、上筐体に液晶表示素子を備えるとともに、下筐体に電源および電源グランドを備えた携帯無線機への適用に好適である。
【図面の簡単な説明】
【００２７】
【図１】本発明に係る携帯無線機の上筐体を示す分解斜視図である。
【図２】本発明に係る携帯無線機の下筐体を示す分解斜視図である。
【図３】本発明に係る携帯無線機に用いる同軸ケーブルを示す断面図である。
【符号の説明】
【００２８】
１０  携帯無線機
１１  上筐体
１２  下筐体
１６  液晶表示素子
１７  上回路基板
１８  上コネクタ
２４  下回路基板
２５  下コネクタ
２８  電池（電源）
２８Ａ  電池のグランド
３０    同軸ケーブル
３１    中心を通る線
３２    外皮
【図１】
2006100319.tif 000003
【図２】
2006100319.tif 000004
【図３】
2006100319.tif 000005